(57)【特許請求の範囲】
【請求項１】
ユーザを識別するユーザ識別情報と、当該ユーザに対してレコメンドするコンテンツであるレコメンドコンテンツを識別するコンテンツ識別情報と、当該レコメンドコンテンツの価格であるコンテンツ価格と、当該レコメンドコンテンツが当該ユーザの嗜好にどの程度適しているかの度合いを表す評価値であるコンテンツ評価値とを関連付けて格納するコンテンツ格納手段と、
前記ユーザ識別情報と、当該ユーザ識別情報により識別されるユーザの現在の所持金を示す所持金情報とを関連付けて格納する所持金情報格納手段と、
前記ユーザ識別情報を取得する取得手段と、
前記コンテンツ格納手段から、前記取得手段によって取得された前記ユーザ識別情報に関連付けられた前記コンテンツ識別情報を抽出する抽出手段と、
前記抽出手段によって抽出された前記コンテンツ識別情報に対して、前記コンテンツ格納手段から抽出された、当該コンテンツ識別情報に関連付けられた前記コンテンツ価格及び前記コンテンツ評価値と、前記所持金情報格納手段から抽出された、前記取得手段によって取得された前記ユーザ識別情報に関連付けられた前記所持金情報とに基づいて、当該ユーザ識別情報により識別されるユーザが当該コンテンツ識別情報により識別される前記レコメンドコンテンツを購入する度合いを示す購入度値を算出する算出手段と、
前記算出手段によって算出された前記コンテンツ識別情報に対する前記購入度値に基づいて、出力する前記レコメンドコンテンツを決定する決定手段と、
前記決定手段によって決定された前記レコメンドコンテンツを出力する出力手段と、
を備えるレコメンドコンテンツ出力装置。
【請求項２】
前記ユーザ識別情報と、当該ユーザ識別情報により識別されるユーザが過去に購入したコンテンツの価格である過去コンテンツ価格とを関連付けて格納する購入履歴格納手段を更に備え、
前記算出手段は、更に、前記購入履歴格納手段から抽出された、当該ユーザ識別情報に関連付けられた前記過去コンテンツ価格に基づいて、前記購入度値を算出する、
ことを特徴とする請求項１に記載のレコメンドコンテンツ出力装置。
【請求項３】
ユーザを識別するユーザ識別情報と、当該ユーザに対してレコメンドするコンテンツであるレコメンドコンテンツを識別するコンテンツ識別情報と、当該レコメンドコンテンツの価格であるコンテンツ価格と、当該レコメンドコンテンツが当該ユーザの嗜好にどの程度適しているかの度合いを表す評価値であるコンテンツ評価値とを関連付けて格納するコンテンツ格納手段と、
前記ユーザ識別情報と、当該ユーザ識別情報により識別されるユーザの現在の所持金を示す所持金情報とを関連付けて格納する所持金情報格納手段と、
を備えるレコメンドコンテンツ出力装置により実行されるレコメンドコンテンツ出力方法であって、
前記ユーザ識別情報を取得する取得ステップと、
前記コンテンツ格納手段から、前記取得ステップにおいて取得された前記ユーザ識別情報に関連付けられた前記コンテンツ識別情報を抽出する抽出ステップと、
前記抽出ステップにおいて抽出された前記コンテンツ識別情報に対して、前記コンテンツ格納手段から抽出された、当該コンテンツ識別情報に関連付けられた前記コンテンツ価格及び前記コンテンツ評価値と、前記所持金情報格納手段から抽出された、前記取得ステップにおいて取得された前記ユーザ識別情報に関連付けられた前記所持金情報とに基づいて、当該ユーザ識別情報により識別されるユーザが当該コンテンツ識別情報により識別される前記レコメンドコンテンツを購入する度合いを示す購入度値を算出する算出ステップと、
前記算出ステップにおいて算出された前記コンテンツ識別情報に対する前記購入度値に基づいて、出力する前記レコメンドコンテンツを決定する決定ステップと、
前記決定ステップにおいて決定された前記レコメンドコンテンツを出力する出力ステップと、
を備えるレコメンドコンテンツ出力方法。
【発明の詳細な説明】
【技術分野】
【０００１】
本発明は、レコメンドコンテンツ出力装置及びレコメンドコンテンツ出力方法に関する。
【背景技術】
【０００２】
今日、インターネット上の通販サイト等において、ユーザが興味を持ちそうなコンテンツをレコメンド（推薦）するレコメンド機能が用いられている。一般的に、レコメンド機能は、ユーザごとに各コンテンツに対してレコメンド用の評価値（以降「コンテンツ評価値」と呼ぶ）を算出し、算出したコンテンツ評価値に基づいて、レコメンドするコンテンツ（以降「レコメンドコンテンツ」と呼ぶ）を選択し、表示する。
【０００３】
例えば、レコメンド機能は、ウェブサイト等に表示させるレコメンドコンテンツを決定する際に、コンテンツ評価値が高いレコメンドコンテンツを、ユーザの嗜好に適していて購入される可能性が比較的高いコンテンツと推定し、コンテンツ評価値が上位のレコメンドコンテンツから順番に選択する。この時、一般的なレコメンド機能は、ユーザの所持金情報を利用しないため、表示されたレコメンドコンテンツの価格がユーザの所持金以上であった場合、所持金不足による販売機会の損失が発生すると共に、限られたレコメンドコンテンツ表示領域を効率的に利用できないという問題が発生する。
【０００４】
そこで、特許文献１では、ユーザ自らが購入時の条件として所持金情報に相当する予算を設定し、その予算付近の商品を検索、表示することで、所持金不足による販売機会の損失を回避する手法が開示されている。
【先行技術文献】
【特許文献】
【０００５】
【特許文献１】特開２０１１−１５９２５１号公報
【発明の概要】
【発明が解決しようとする課題】
【０００６】
しかしながら、上記の従来手法では、価格情報がフィルタリング条件として独立的に与えられるため、条件に合わないレコメンドコンテンツが全て排除されてしまうおそれがあり、また、条件に合っていてもユーザの所持金に応じた評価値がないため、ユーザに有益なレコメンドコンテンツが表示されないという問題がある。
【０００７】
本発明は、上記のような課題を解決するために成されたものであり、ユーザの所持金に応じた有益なレコメンドコンテンツを出力することができるレコメンドコンテンツ出力装置及びレコメンドコンテンツ出力方法を提供することを目的とする。
【課題を解決するための手段】
【０００８】
本発明の一側面に係るレコメンドコンテンツ出力装置は、ユーザを識別するユーザ識別情報と、当該ユーザに対してレコメンドするコンテンツであるレコメンドコンテンツを識別するコンテンツ識別情報と、当該レコメンドコンテンツの価格であるコンテンツ価格と、当該レコメンドコンテンツが当該ユーザの嗜好にどの程度適しているかの度合いを表す評価値であるコンテンツ評価値とを関連付けて格納するコンテンツ格納手段と、ユーザ識別情報と、当該ユーザ識別情報により識別されるユーザの現在の所持金を示す所持金情報とを関連付けて格納する所持金情報格納手段と、ユーザ識別情報を取得する取得手段と、コンテンツ格納手段から、取得手段によって取得されたユーザ識別情報に関連付けられたコンテンツ識別情報を抽出する抽出手段と、抽出手段によって抽出されたコンテンツ識別情報に対して、コンテンツ格納手段から抽出された、当該コンテンツ識別情報に関連付けられたコンテンツ価格及びコンテンツ評価値と、所持金情報格納手段から抽出された、取得手段によって取得されたユーザ識別情報に関連付けられた所持金情報とに基づいて、当該ユーザ識別情報により識別されるユーザが当該コンテンツ識別情報により識別されるレコメンドコンテンツを購入する度合いを示す購入度値を算出する算出手段と、算出手段によって算出されたコンテンツ識別情報に対する購入度値に基づいて、出力するレコメンドコンテンツを決定する決定手段と、決定手段によって決定されたレコメンドコンテンツを出力する出力手段と、を備える。
【０００９】
このように、レコメンドコンテンツに対して、コンテンツ価格とコンテンツ評価値とユーザの所持金情報とに基づいて購入度値が算出され、算出された購入度値に基づいてレコメンドコンテンツが出力される。これにより、所持金による単純なフィルタリング手法とは異なり、ユーザの所持金が、出力するレコメンドコンテンツを決定する上での要素の一つとなるため、ユーザの所持金に応じた有益なレコメンドコンテンツを出力することができる。また、それにより、レコメンドコンテンツに対してユーザの所持金不足による販売機会の損失を回避すると共に、レコメンドコンテンツ表示領域を効率的に利用することができる。
【００１０】
また、ユーザ識別情報と、当該ユーザ識別情報により識別されるユーザが過去に購入したコンテンツの価格である過去コンテンツ価格とを関連付けて格納する購入履歴格納手段を更に備え、算出手段は、更に、購入履歴格納手段から抽出された、当該ユーザ識別情報に関連付けられた過去コンテンツ価格に基づいて、購入度値を算出してもよい。かかる場合、更にユーザの過去コンテンツ価格に基づいて購入度値が算出されるため、ユーザの日常の購買行動に近い価格のレコメンドコンテンツを出力することができ、ユーザに対してより有益なレコメンドコンテンツを出力することができる。
【００１１】
ところで、レコメンドコンテンツ出力装置に係る発明は、方法の発明として捉えることができ、同様の作用・効果を奏する。方法の発明は、以下のように記述することができる。
【００１２】
本発明の一側面に係るレコメンドコンテンツ出力方法は、ユーザを識別するユーザ識別情報と、当該ユーザに対してレコメンドするコンテンツであるレコメンドコンテンツを識別するコンテンツ識別情報と、当該レコメンドコンテンツの価格であるコンテンツ価格と、当該レコメンドコンテンツが当該ユーザの嗜好にどの程度適しているかの度合いを表す評価値であるコンテンツ評価値とを関連付けて格納するコンテンツ格納手段と、ユーザ識別情報と、当該ユーザ識別情報により識別されるユーザの現在の所持金を示す所持金情報とを関連付けて格納する所持金情報格納手段と、を備えるレコメンドコンテンツ出力装置により実行されるレコメンドコンテンツ出力方法であって、ユーザ識別情報を取得する取得ステップと、コンテンツ格納手段から、取得ステップにおいて取得されたユーザ識別情報に関連付けられたコンテンツ識別情報を抽出する抽出ステップと、抽出ステップにおいて抽出されたコンテンツ識別情報に対して、コンテンツ格納手段から抽出された、当該コンテンツ識別情報に関連付けられたコンテンツ価格及びコンテンツ評価値と、所持金情報格納手段から抽出された、取得ステップにおいて取得されたユーザ識別情報に関連付けられた所持金情報とに基づいて、当該ユーザ識別情報により識別されるユーザが当該コンテンツ識別情報により識別されるレコメンドコンテンツを購入する度合いを示す購入度値を算出する算出ステップと、算出ステップにおいて算出されたコンテンツ識別情報に対する購入度値に基づいて、出力するレコメンドコンテンツを決定する決定ステップと、決定ステップにおいて決定されたレコメンドコンテンツを出力する出力ステップと、を備える。
【発明の効果】
【００１３】
本発明によれば、ユーザの所持金に応じた有益なレコメンドコンテンツを出力することができる。
【図面の簡単な説明】
【００１４】
【図１】本発明の一実施形態に係るレコメンドコンテンツ出力装置の構成の一例を示すブロック図である。
【図２】本発明の一実施形態に係るレコメンドコンテンツ出力装置のハードウェア構成の一例を示す図である。
【図３】本発明の一実施形態に係るレコメンドコンテンツ格納部のテーブルデータの一例を示す図である。
【図４】本発明の一実施形態に係る所持金情報格納部のテーブルデータの一例を示す図である。
【図５】本発明の一実施形態に係る過去コンテンツ価格格納部のテーブルデータの一例を示す図である。
【図６】本発明の一実施形態に係るレコメンドコンテンツ出力装置におけるレコメンドコンテンツ出力方法の処理動作の一例を示すフローチャートである。
【発明を実施するための形態】
【００１５】
以下、添付図面を参照しながら本発明の実施形態を詳細に説明する。なお、図面の説明において同一又は同等の要素には同一の符号を付し、重複する説明を省略する。
【００１６】
図１は、本発明の一実施形態に係るレコメンドコンテンツ出力装置１の構成を示す図である。図１に示すレコメンドコンテンツ出力装置１は、レコメンドコンテンツ格納部１０１（コンテンツ格納手段）、所持金情報格納部１０２（所持金情報格納手段）、過去コンテンツ価格格納部１０３（購入履歴格納手段）、取得部１０４（取得手段）、抽出部１０５（抽出手段）、算出部１０６（算出手段）、決定部１０７（決定手段）、及び出力部１０８（出力手段）を含んで構成される。
【００１７】
なお、レコメンドコンテンツ出力装置１は、レコメンド機能（不図示）を搭載していることを前提とする。レコメンド機能は、レコメンドコンテンツを算出する際にユーザごとにそのレコメンドコンテンツに対する評価値を用いるような既存技術であれば、どのような技術を用いて実現してもよい。
【００１８】
図２は、レコメンドコンテンツ出力装置１のハードウェア構成の一例を示す。レコメンドコンテンツ出力装置１は、ＰＣ（Personal  Computer）やサーバ等のコンピュータで構成され、ハードウェア構成として、ＣＰＵ５０と、ＲＡＭ５１と、ＲＯＭ５２と、キーボードやテンキーなどから成る入力手段５３と、外部との通信を行う通信手段５４と、補助記憶装置５５と、ディスプレイなどから成る出力手段５６と、を備える。前述したレコメンドコンテンツ出力装置１の各機能ブロックの機能は、ＲＡＭ５１などにプログラムやデータなどを読み込ませ、ＣＰＵ５０の制御の下でプログラムを実行することで実現される。
【００１９】
以下、図１に示すレコメンドコンテンツ出力装置１の各機能ブロックについて説明する。レコメンドコンテンツ格納部１０１は、ユーザを識別するユーザＩＤ（ユーザ識別情報）と、当該ユーザに対してレコメンドするコンテンツであるレコメンドコンテンツを識別するコンテンツＩＤ（コンテンツ識別情報）と、当該レコメンドコンテンツの価格であるコンテンツ価格と、当該レコメンドコンテンツが当該ユーザの嗜好にどの程度適しているかの度合いを表す評価値であるコンテンツ評価値とを関連付けて格納する。ここで、コンテンツ評価値は、レコメンドコンテンツ出力装置１に搭載された上述のレコメンド機能によって算出された評価値である。コンテンツ評価値は、例えば、整数値であり、値が大きいほどレコメンド度合いが大きいことを示す。
【００２０】
図３は、レコメンドコンテンツ格納部１０１に格納されたテーブルデータの一例を示す図である。図３に示すテーブルデータ例では、ユーザＩＤが「Ａ」のユーザに対して、コンテンツＩＤが「Ａ１」、「Ａ２」、「Ａ３」及び「Ａ４」から成る４つのレコメンドコンテンツが存在している。なお、図３に示すテーブルデータ例の通り、レコメンドコンテンツ格納部１０１は、後述の算出部１０６によって算出された購入度値を更に関連付けて格納してもよい。
【００２１】
所持金情報格納部１０２は、ユーザＩＤと、当該ユーザＩＤにより識別されるユーザの現在の所持金を示す所持金情報とを関連付けて格納する。図４は、所持金情報格納部１０２に格納されたテーブルデータの一例を示す図である。図４に示すテーブルデータ例では、ユーザＩＤが「Ａ」のユーザの所持金は「２０００」円であり、ユーザＩＤが「Ｂ」のユーザの所持金は「５００」円である。
【００２２】
過去コンテンツ価格格納部１０３は、ユーザＩＤと、当該ユーザＩＤにより識別されるユーザが過去に購入したコンテンツの価格である過去コンテンツ価格とを関連付けて格納する。図５は、過去コンテンツ価格格納部１０３に格納されたテーブルデータの一例を示す図である。図５に示すテーブルデータ例では、ユーザＩＤが「Ａ」のユーザは、過去コンテンツＩＤが「ＡＰ１」、「ＡＰ２」、「ＡＰ３」及び「ＡＰ４」から成る４つのコンテンツを過去に購入しており、各コンテンツの価格はそれぞれ「１０００」円、「５００」円、「５００」円及び「２０００」円である。
【００２３】
取得部１０４は、ユーザＩＤを取得する。取得部１０４は、例えば、ユーザによって入力されたユーザＩＤを入力手段５３を介して取得してもよいし、レコメンドコンテンツ出力装置１とインターネット等のネットワークで接続されたクライアント端末等から送信されてきたユーザＩＤを通信手段５４を介して取得してもよい。
【００２４】
抽出部１０５は、レコメンドコンテンツ格納部１０１から、取得部１０４によって取得されたユーザＩＤに関連付けられたコンテンツＩＤを抽出する。例えば、レコメンドコンテンツ格納部１０１に図３に示すテーブルデータが格納されており、取得部１０４によってユーザＩＤとして「Ａ」が取得された場合、抽出部１０５は、「Ａ」に関連付けられたコンテンツＩＤとして「Ａ１」、「Ａ２」、「Ａ３」及び「Ａ４」の４つのコンテンツＩＤを抽出する。
【００２５】
算出部１０６は、抽出部１０５によって抽出されたコンテンツＩＤに対して、レコメンドコンテンツ格納部１０１から抽出された、当該コンテンツＩＤに関連付けられたコンテンツ価格及びコンテンツ評価値と、所持金情報格納部１０２から抽出された、取得部１０４によって取得されたユーザＩＤに関連付けられた所持金情報とに基づいて、当該ユーザＩＤにより識別されるユーザが当該コンテンツＩＤにより識別されるレコメンドコンテンツを購入する度合いを示す購入度値を算出する。また、算出部１０６は、更に、過去コンテンツ価格格納部１０３から抽出された、当該ユーザＩＤに関連付けられた過去コンテンツ価格に基づいて、購入度値を算出してもよい。なお、抽出部１０５によって抽出されたコンテンツＩＤが複数ある場合、算出部１０６は、各コンテンツＩＤに対して購入度値を算出する。
【００２６】
以下、購入度値の算出の具体例を説明する。算出部１０６が算出するユーザｍのレコメンドコンテンツｊに対する購入度値Ｈは、ユーザｍが購入した過去コンテンツの価格から算出される購入度値Ｆと、ユーザｍの所持金情報から算出される購入度値Ｇと、ユーザｍのレコメンドコンテンツｊに対するコンテンツ評価値Ｊとに基づいて算出される。
【００２７】
購入度値Ｆは、ユーザｍが購入した過去コンテンツｎの価格をｘｍ，ｎ、ユーザｍのレコメンドコンテンツｊの価格をＸｍ，ｊとすると、以下の式（１）で算出される。
【数１】
0005727920.tif 000002
【００２８】
購入度値Ｇは、ユーザｍの所持金をＹｍとすると、以下の式（２）で算出される。
【数２】
0005727920.tif 000003
【００２９】
そして、購入度値Ｈは、以下の式（３）で算出される。
【数３】
0005727920.tif 000004
ここで、α、β及びγは任意に決定することができる。例えば、αを０とした場合、購入度値Ｈは、購入度値Ｇ及びコンテンツ評価値Ｊに基づいて算出される。なお、変形例として、購入度値Ｈは、以下の式（４）で算出されてもよい。
【数４】
0005727920.tif 000005
【００３０】
決定部１０７は、算出部１０６によって算出されたコンテンツＩＤに対する購入度値に基づいて、出力するレコメンドコンテンツを決定する。なお、抽出部１０５によって抽出されたコンテンツＩＤが複数あり、算出部１０６によって各コンテンツＩＤに対して購入度値が算出された場合、決定部１０７は、各コンテンツＩＤに対して算出された購入度値に基づいて、出力するレコメンドコンテンツを決定する。決定部１０７は、例えば、算出部１０６によって算出された、各コンテンツＩＤに対する購入度値の上位Ｎ個（Ｎは自然数）のコンテンツＩＤにより識別されるレコメンドコンテンツ、すなわち購入度値の高いレコメンドコンテンツを、出力するレコメンドコンテンツとして決定する。また、抽出部１０５によって抽出されたコンテンツＩＤが一つの場合、決定部１０７は、例えば、当該コンテンツＩＤの購入度値が所定の閾値より大きい場合は、当該コンテンツＩＤにより識別されるレコメンドコンテンツを、出力するレコメンドコンテンツとして決定し、所定の閾値以下の場合は、出力するレコメンドコンテンツとして何も決定しない。
【００３１】
出力部１０８は、決定部１０７によって決定されたレコメンドコンテンツを出力する。出力部１０８は、レコメンドコンテンツを、視覚情報として出力（表示）してもよいし、音声情報として出力してもよい。出力部１０８は、例えば、出力手段５６を介してユーザにレコメンドコンテンツを出力してもよいし、レコメンドコンテンツ出力装置１とインターネット等のネットワークで接続されたクライアント端末等に、決定部１０７によって決定されたレコメンドコンテンツを通信手段５４を介して送信し、クライアント端末等のブラウザ上でユーザに当該レコメンドコンテンツを出力してもよい。なお、レコメンドコンテンツが表示されるレコメンドコンテンツ表示領域が予め定められており、出力部１０８は、レコメンドコンテンツ表示領域に、決定部１０７によって決定されたレコメンドコンテンツを表示してもよい。
【００３２】
続いて、レコメンドコンテンツ出力装置１におけるレコメンドコンテンツ出力方法の処理の手順を、図６を参照して説明する。まず、取得部１０４は、ユーザＩＤを取得する（ステップＳ１、取得ステップ）。次に、抽出部１０５は、レコメンドコンテンツ格納部１０１から、Ｓ１において取得されたユーザＩＤに関連付けられたコンテンツＩＤを抽出する（ステップＳ２、抽出ステップ）。次に、抽出部１０５は、Ｓ２においてコンテンツＩＤが抽出されたか否か、すなわち、Ｓ１において取得されたユーザＩＤにより識別されるユーザに対するレコメンドコンテンツがあるか否かを判定する（ステップＳ３）。Ｓ３において、レコメンドコンテンツがないと判定された場合、処理は終了する。
【００３３】
一方、Ｓ３において、レコメンドコンテンツがあると判定された場合、算出部１０６は、レコメンドコンテンツ格納部１０１から、Ｓ２において抽出されたコンテンツＩＤに関連付けられたコンテンツ価格及びコンテンツ評価値と、所持金情報格納部１０２から、Ｓ１において取得されたユーザＩＤに関連付けられた所持金情報と、過去コンテンツ価格格納部１０３から、当該ユーザＩＤに関連付けられた過去コンテンツ価格とを取得する（ステップＳ４、算出ステップ）。次に、算出部１０６は、Ｓ４において取得されたコンテンツ価格とコンテンツ評価値と所持金情報と過去コンテンツ価格とに基づいて、Ｓ１において取得されたユーザＩＤにより識別されるユーザが、Ｓ２において抽出されたコンテンツＩＤにより識別されるレコメンドコンテンツを購入する度合いを示す購入度値を算出する（ステップＳ５、算出ステップ）
【００３４】
次に、決定部１０７は、Ｓ５において算出されたコンテンツＩＤに対する購入度値に基づいて、出力するレコメンドコンテンツを決定する（ステップＳ６、決定ステップ）。次に、出力部１０８は、Ｓ６において決定されたレコメンドコンテンツを出力する（ステップＳ７、出力ステップ）。
【００３５】
以下、本実施形態の作用効果について説明する。
【００３６】
本実施形態のレコメンドコンテンツ出力装置１によれば、算出部１０６により、レコメンドコンテンツに対して、コンテンツ価格とコンテンツ評価値とユーザの所持金情報とに基づいて購入度値が算出され、決定部１０７及び出力部１０８により、算出された購入度値に基づいてレコメンドコンテンツが出力される。これにより、所持金による単純なフィルタリング手法とは異なり、ユーザの所持金が、出力するレコメンドコンテンツを決定する上での要素の一つとなるため、ユーザの所持金に応じた有益なレコメンドコンテンツを出力することができる。また、それにより、レコメンドコンテンツに対してユーザの所持金不足による販売機会の損失を回避すると共に、レコメンドコンテンツ表示領域を効率的に利用することができる。
【００３７】
また、算出部１０６により、更にユーザの過去コンテンツ価格に基づいて購入度値が算出されるため、ユーザの日常の購買行動に近い価格のレコメンドコンテンツを出力することができ、ユーザに対してより有益なレコメンドコンテンツを出力することができる。すなわち、ユーザの所持金や購入履歴に基づいて、レコメンドコンテンツを適応的に変更することができる。
【符号の説明】
【００３８】
１…レコメンドコンテンツ出力装置、１０１…レコメンドコンテンツ格納部、１０２…所持金情報格納部、１０３…過去コンテンツ価格格納部、１０４…取得部、１０５…抽出部、１０６…算出部、１０７…決定部、１０８…出力部。
【図１】
0005727920.tif 000006
【図２】
0005727920.tif 000007
【図３】
0005727920.tif 000008
【図４】
0005727920.tif 000009
【図５】
0005727920.tif 000010
【図６】
0005727920.tif 000011